(57)【特許請求の範囲】
【請求項１】
相互に独立して組み立てられた一対の半ユニットからなり、半ユニットの各々は、平面形状が実質的に矩形をなす床枠体と、床枠体の上面に沿って延在する折畳位置と床枠体の上面から直立する使用位置との間を旋回しうるよう床枠体の幅方向一側部に一端部が支持された側壁枠体と、側壁枠体の内側面に沿って延在する折畳位置と側壁枠体が使用位置に位置付けられた状態で床枠体の幅方向に延在する使用位置との間を旋回しうるよう側壁枠体の他端部に一側部が支持された屋根枠体と、床枠体の上面に沿って延在する折畳位置と床枠体の上面から直立する使用位置との間を旋回しうるよう床枠体の長手方向両端部にそれぞれ一端部が支持された端壁枠体とを備え、
床枠体の各々の他側部における他側面が相互に対向するよう床枠体の各々を分離自在に固定することにより半ユニットの各々は一つのユニットにせしめられ、半ユニットの各々が一つのユニットにせしめられた状態において、側壁枠体、屋根枠体及び端壁枠体の全てを使用位置に位置付けることにより、相互に固定された一対の床枠体の上方には、側壁枠体、屋根枠体及び端壁枠体の全てに囲まれた一つの立体空間が形成され、
半ユニットの各々は、床枠体の下面に沿って延在する折畳位置と床枠体の下面から垂下する使用位置との間を旋回しうるよう床枠体の幅方向一側部に一端部が支持された下側壁枠体と、床枠体の下面に沿って延在する折畳位置と床枠体の下面から垂下する使用位置との間を旋回しうるよう床枠体の長手方向両端部にそれぞれ一端部が支持された下端壁枠体とを備え、
半ユニットの各々が一つのユニットにせしめられた状態において、下側壁枠体及び下端壁枠体の全てを使用位置に位置付けることにより、相互に固定された一対の床枠体の下方には、下側壁枠体及び下端壁枠体の全てに囲まれた一つの立体空間が形成される、
ことを特徴とする立体構築物。
【請求項２】
半ユニットの各々において、下側壁枠体及び下端壁枠体の各々の平面形状は実質的に矩形であり、下側壁枠体の他端部は下側壁枠体の両側間を延在する基礎枠からなり、下端壁枠体の各々の他端部は下端壁枠体の各々における両側間をそれぞれ延在する基礎枠からなり、
半ユニットの各々が一つのユニットにせしめられ、かつ、下側壁枠体及び下端壁枠体の全てが使用位置に位置付けられた状態において、基礎枠の各々は平面から見て実質的に連続した矩形状をなすよう位置付けられ、相互に隣接する基礎枠同士を相互に分離自在に固定することにより、平面形状が実質的に矩形をなす基礎枠体が、相互に固定された一対の床枠体の下方に間隔をおいて形成され、基礎枠体の内側間に複数のフレームを分離自在に配設することにより基礎床枠体が形成され、基礎床枠体を介して載置面上に載置される、請求項１記載の立体構築物。
【請求項３】
半ユニットの各々において、下側壁枠体及び下端壁枠体の各々が折畳位置に位置付けられた状態において、下側壁枠体及び下端壁枠体の各々は、床枠体の幅方向外側に実質的に突出しない、請求項１又は請求項２記載の立体構築物。
【請求項４】
半ユニットの各々において、下側壁枠体の旋回軸及び下端壁枠体の各々の旋回軸は床枠体の下面よりも下方に配置され、下側壁枠体の旋回軸は下端壁枠体の各々の旋回軸よりも下方に配置され、下端壁枠体の各々が折畳位置に位置付けられた状態で、下側壁枠体は下端壁枠体の各々の下方から重合して折畳位置に位置付けられる、請求項１〜３のいずれか１項に記載の立体構築物。
【請求項５】
半ユニットの各々において、下側壁枠体及び下端壁枠体の各々が使用位置に位置付けられた状態において、下端壁枠体の各々の一側面は、下側壁枠体の両側部の内側面にそれぞれ対向せしめられ、床枠体の一端部に配設された片方の下端壁枠体の該一側面を含む一側部と下側壁枠体の該内側面を含む一側部との間、及び床枠体の他端部に配設された他方の下端壁枠体の該一側面を含む一側部と下側壁枠体の該内側面を含む他側部との間には、片方の下端壁枠体の該一側部と下側壁枠体の該一側部との間及び他方の下端壁枠体の該一側部と下側壁枠体の該他側部との間をそれぞれ分離自在に連結する複数の連結手段がそれぞれ配設され、該連結手段の各々は、それぞれ１個の袋ナット部材及びボルトからなり、該連結手段の各々において、袋ナット部材は、開口端と閉塞端とを有するねじ孔を備えかつ、下端壁枠体の各々の該一側部に配設されると共に、開口端が、下端壁枠体の各々の該一側面に配置されて、下側壁枠体の、対応する側部の該内側面に対向せしめられる、請求項４記載の立体構築物。
【請求項６】
半ユニットの各々において、床枠体の一側部における両端間には相互に間隔をおいて複数の支持部材が垂下せしめられ、下側壁枠体の一端部には、支持部材の各々に対応して被支持部材が配設され、下側壁枠体の被支持部材の各々は、対応する支持部材に軸部材を介して旋回可能に支持され、下側壁枠体が折畳位置から使用位置まで旋回させられると、被支持部材の各々と、対応する支持部材との間には重合部が形成され、該重合部の各々を、それぞれ１個のボルト及びナットにより解除自在にロックすることにより、下側壁枠体は使用位置に保持される、請求項１〜５のいずれか１項に記載の立体構築物。
【請求項７】
半ユニットの各々において、床枠体の両端部における両側間にはそれぞれ相互に間隔をおいて複数の支持部材が垂下せしめられ、
床枠体の一端部に配置された片方の下端壁枠体の一端部には、床枠体の一端部に配設された支持部材の各々に対応して被支持部材が配設され、片方の下端壁枠体の被支持部材の各々は、対応する支持部材に軸部材を介して旋回可能に支持され、片方の下端壁枠体が折畳位置から使用位置まで旋回させられると、被支持部材の各々と、対応する支持部材との間には重合部が形成され、該重合部の各々を、それぞれ１個のボルト及びナットにより解除自在にロックすることにより、片方の下端壁枠体は使用位置に保持され、
床枠体の他端部に配置された他方の下端壁枠体の一端部には、床枠体の他端部に配設された支持部材の各々に対応して被支持部材が配設され、他方の下端壁枠体の被支持部材の各々は、対応する支持部材に軸部材を介して旋回可能に支持され、他方の下端壁枠体が折畳位置から使用位置まで旋回させられると、被支持部材の各々と、対応する支持部材との間には重合部が形成され、該重合部の各々を、それぞれ１個のボルト及びナットにより解除自在にロックすることにより、他方の下端壁枠体は使用位置に保持される、請求項１〜６のいずれか１項に記載の立体構築物。
【請求項８】
半ユニットの各々が一つのユニットにせしめられかつ、下側壁枠体及び下端壁枠体の各々が使用位置に位置付けられた状態において、床枠体の各々の一端部に配設された片方の下端壁枠体の他側部に含まれる他側面同士及び床枠体の各々の他端部に配設された他方の下端壁枠体の他側部に含まれる他側面同士はそれぞれ相互に対向せしめられ、片方の下端壁枠体の各々の該他側部間及び他方の下端壁枠体の各々の該他側部間には、片方の下端壁枠体の各々の該他側部同士及び他方の下端壁枠体の各々の該他側部同士をそれぞれ分離自在に連結する複数の連結手段が配設され、該連結手段の各々は、それぞれ１個の袋ナット部材及びボルトからなり、該連結手段の各々において、袋ナット部材は、開口端と閉塞端とを有するねじ孔を備えかつ、片方の下端壁枠体のうちのいずれか一方における該他側部及び他方の下端壁枠体のうちのいずれか一方における該他側部に配設される、請求項１〜７のいずれか１項に記載の立体構築物。
【請求項９】
半ユニットの各々が一つのユニットにせしめられた状態において、相互に固定された一対の床枠体を吊り上げると、下側壁枠体及び下端壁枠体の各々は重力によりほぼ使用位置まで旋回せしめられる、請求項１記載の立体構築物。
【発明の詳細な説明】
【０００１】
【産業上の利用分野】
本発明は、折畳式及び組立式立体構築物、例えば、家屋、仮設住宅、倉庫、事務所、軍隊などの簡易宿泊施設などに適用することができる一階建又は二階建の折畳式及び組立式立体構築物に関する。
【０００２】
【従来の技術】
例えば仮設住宅などのプレハブ式の立体構築物は、一般的に、パネル状に形成した床、壁、屋根などを工場で製造し、それらを建設現場に輸送してから建設現場において立体に組み立てることにより建設される。
【０００３】
【発明が解決しようとする課題】
上記した如きプレハブ式の立体構築物は、柱、梁、パネル部材など多数の構成部材を使用してそれら全てを建設現場において組み立てることにより建設される一般的な立体構築物に較べた場合には、少ない労力で比較的容易にかつ迅速に組み立てることができ、しかも輸送も容易である、などの優れた効果を得ることができる。しかしながら、床、壁、屋根などを建設現場に輸送した後、該現場においてそれらの構成要素を組み立てる作業は、組み立てる構成要素の種類及び数が比較的多いので、かなり多くの労力と組立時間を要しており、未だ十分に満足すべきものとはいえない。しかも、輸送及び保管の効率化、コストダウンなどについても更なる改善の余地が残されている、というのが実状である。
【０００４】
本発明の目的は、従来のプレハブ式の立体構築物に較べて、更に少ない労力で更に迅速に建設することを可能にする、新規な折畳式及び組立式立体構築物を提供するとである。
【０００５】
本発明の他の目的は、従来のプレハブ式の立体構築物に較べて、更に効率的な輸送及び更に効率的な保管の達成を可能にする、新規な折畳式及び組立式立体構築物を提供することである。
【０００６】
本発明の更に他の目的は、従来のプレハブ式の立体構築物に較べて、トータルコストの更なる低減を可能にする、新規な折畳式及び組立式立体構築物を提供することである。
【０００７】
本発明の更に他の目的は、一階建であっても、二階建であっても、上記目的を達成することを可能にする、新規な折畳式及び組立式立体構築物を提供することである。
【０００８】
【課題を解決するための手段】
本発明によれば、相互に独立して組み立てられた一対の半ユニットからなり、半ユニットの各々は、平面形状が実質的に矩形をなす床枠体と、床枠体の上面に沿って延在する折畳位置と床枠体の上面から直立する使用位置との間を旋回しうるよう床枠体の幅方向一側部に一端部が支持された側壁枠体と、側壁枠体の内側面に沿って延在する折畳位置と側壁枠体が使用位置に位置付けられた状態で床枠体の幅方向に延在する使用位置との間を旋回しうるよう側壁枠体の他端部に一側部が支持された屋根枠体と、床枠体の上面に沿って延在する折畳位置と床枠体の上面から直立する使用位置との間を旋回しうるよう床枠体の長手方向両端部にそれぞれ一端部が支持された端壁枠体とを備え、床枠体の各々の他側部における他側面が相互に対向するよう床枠体の各々を分離自在に固定することにより半ユニットの各々は一つのユニットにせしめられ、半ユニットの各々が一つのユニットにせしめられた状態において、側壁枠体、屋根枠体及び端壁枠体の全てを使用位置に位置付けることにより、相互に固定された一対の床枠体の上方には、側壁枠体、屋根枠体及び端壁枠体の全てに囲まれた一つの立体空間が形成され、半ユニットの各々は、床枠体の下面に沿って延在する折畳位置と床枠体の下面から垂下する使用位置との間を旋回しうるよう床枠体の幅方向一側部に一端部が支持された下側壁枠体と、床枠体の下面に沿って延在する折畳位置と床枠体の下面から垂下する使用位置との間を旋回しうるよう床枠体の長手方向両端部にそれぞれ一端部が支持された下端壁枠体とを備え、半ユニットの各々が一つのユニットにせしめられた状態において、下側壁枠体及び下端壁枠体の全てを使用位置に位置付けることにより、相互に固定された一対の床枠体の下方には、下側壁枠体及び下端壁枠体の全てに囲まれた一つの立体空間が形成される、ことを特徴とする立体構築物、が提供される。
半ユニットの各々において、下側壁枠体及び下端壁枠体の各々の平面形状は実質的に矩形であり、下側壁枠体の他端部は下側壁枠体の両側間を延在する基礎枠からなり、下端壁枠体の各々の他端部は下端壁枠体の各々における両側間をそれぞれ延在する基礎枠からなり、半ユニットの各々が一つのユニットにせしめられ、かつ、下側壁枠体及び下端壁枠体の全てが使用位置に位置付けられた状態において、基礎枠の各々は平面から見て実質的に連続した矩形状をなすよう位置付けられ、相互に隣接する基礎枠同士を相互に分離自在に固定することにより、平面形状が実質的に矩形をなす基礎枠体が、相互に固定された一対の床枠体の下方に間隔をおいて形成され、基礎枠体の内側間に複数のフレームを分離自在に配設することにより基礎床枠体が形成され、基礎床枠体を介して載置面上に載置される、ことが好ましい。
半ユニットの各々において、下側壁枠体及び下端壁枠体の各々が折畳位置に位置付けられた状態において、下側壁枠体及び下端壁枠体の各々は、床枠体の幅方向外側に実質的に突出しない、ことが好ましい。
半ユニットの各々において、下側壁枠体の旋回軸及び下端壁枠体の各々の旋回軸は床枠体の下面よりも下方に配置され、下側壁枠体の旋回軸は下端壁枠体の各々の旋回軸よりも下方に配置され、下端壁枠体の各々が折畳位置に位置付けられた状態で、下側壁枠体は下端壁枠体の各々の下方から重合して折畳位置に位置付けられる、ことが好ましい。
半ユニットの各々において、下側壁枠体及び下端壁枠体の各々が使用位置に位置付けられた状態において、下端壁枠体の各々の一側面は、下側壁枠体の両側部の内側面にそれぞれ対向せしめられ、床枠体の一端部に配設された片方の下端壁枠体の該一側面を含む一側部と下側壁枠体の該内側面を含む一側部との間、及び床枠体の他端部に配設された他方の下端壁枠体の該一側面を含む一側部と下側壁枠体の該内側面を含む他側部との間には、片方の下端壁枠体の該一側部と下側壁枠体の該一側部との間及び他方の下端壁枠体の該一側部と下側壁枠体の該他側部との間をそれぞれ分離自在に連結する複数の連結手段がそれぞれ配設され、該連結手段の各々は、それぞれ１個の袋ナット部材及びボルトからなり、該連結手段の各々において、袋ナット部材は、開口端と閉塞端とを有するねじ孔を備えかつ、下端壁枠体の各々の該一側部に配設されると共に、開口端が、下端壁枠体の各々の該一側面に配置されて、下側壁枠体の、対応する側部の該内側面に対向せしめられる、ことが好ましい。
半ユニットの各々において、床枠体の一側部における両端間には相互に間隔をおいて複数の支持部材が垂下せしめられ、下側壁枠体の一端部には、支持部材の各々に対応して被支持部材が配設され、下側壁枠体の被支持部材の各々は、対応する支持部材に軸部材を介して旋回可能に支持され、下側壁枠体が折畳位置から使用位置まで旋回させられると、被支持部材の各々と、対応する支持部材との間には重合部が形成され、該重合部の各々を、それぞれ１個のボルト及びナットにより解除自在にロックすることにより、下側壁枠体は使用位置に保持される、ことが好ましい。
半ユニットの各々において、床枠体の両端部における両側間にはそれぞれ相互に間隔をおいて複数の支持部材が垂下せしめられ、床枠体の一端部に配置された片方の下端壁枠体の一端部には、床枠体の一端部に配設された支持部材の各々に対応して被支持部材が配設され、片方の下端壁枠体の被支持部材の各々は、対応する支持部材に軸部材を介して旋回可能に支持され、片方の下端壁枠体が折畳位置から使用位置まで旋回させられると、被支持部材の各々と、対応する支持部材との間には重合部が形成され、該重合部の各々を、それぞれ１個のボルト及びナットにより解除自在にロックすることにより、片方の下端壁枠体は使用位置に保持され、床枠体の他端部に配置された他方の下端壁枠体の一端部には、床枠体の他端部に配設された支持部材の各々に対応して被支持部材が配設され、他方の下端壁枠体の被支持部材の各々は、対応する支持部材に軸部材を介して旋回可能に支持され、他方の下端壁枠体が折畳位置から使用位置まで旋回させられると、被支持部材の各々と、対応する支持部材との間には重合部が形成され、該重合部の各々を、それぞれ１個のボルト及びナットにより解除自在にロックすることにより、他方の下端壁枠体は使用位置に保持される、ことが好ましい。
半ユニットの各々が一つのユニットにせしめられかつ、下側壁枠体及び下端壁枠体の各々が使用位置に位置付けられた状態において、床枠体の各々の一端部に配設された片方の下端壁枠体の他側部に含まれる他側面同士及び床枠体の各々の他端部に配設された他方の下端壁枠体の他側部に含まれる他側面同士はそれぞれ相互に対向せしめられ、片方の下端壁枠体の各々の該他側部間及び他方の下端壁枠体の各々の該他側部間には、片方の下端壁枠体の各々の該他側部同士及び他方の下端壁枠体の各々の該他側部同士をそれぞれ分離自在に連結する複数の連結手段が配設され、該連結手段の各々は、それぞれ１個の袋ナット部材及びボルトからなり、該連結手段の各々において、袋ナット部材は、開口端と閉塞端とを有するねじ孔を備えかつ、片方の下端壁枠体のうちのいずれか一方における該他側部及び他方の下端壁枠体のうちのいずれか一方における該他側部に配設される、ことが好ましい。
半ユニットの各々が一つのユニットにせしめられた状態において、相互に固定された一対の床枠体を吊り上げると、下側壁枠体及び下端壁枠体の各々は重力によりほぼ使用位置まで旋回せしめられる、ことが好ましい。
【０００９】
【発明の実施の形態】
以下、図１〜図２８を参照して、本発明に従って構成された折畳式及び組立式立体構築物の実施形態である２階建の建築物について詳細に説明する。
【００１０】
先ず、本発明による２階建の建築物の構成の概要について説明する。本発明による２階建の建築物は、図４に示されているように、相互に独立して組み立てられた一対の半ユニットＨＵ及びＨＵからなる。図２４を参照して、半ユニットＨＵは、床枠体１００、側壁枠体２００、屋根枠体３００、相互に実質的に同じ構成を有する一対の端壁枠体４００及び４００、下側壁枠体５００、及び相互に実質的に同じ構成を有する一対の下端壁枠体６００及び６００を備えている。床枠体１００、側壁枠体２００、屋根枠体３００及び下側壁枠体５００の各々は、それぞれ、平面形状が縦長の実質的に矩形をなす。下端壁枠体６００の各々は、それぞれ、平面形状が実質的に矩形であって、正方形に近い矩形をなす。端壁枠体４００の各々の平面形状は、矩形を基本形状として該矩形の一側部よりも他側部を長くせしめることにより他端部が傾斜した、矩形の変形をなす。本発明による２階建の建築物はまた、補助屋根枠体７００を備えている。補助屋根枠体５００は、平面形状が縦長の実質的に矩形をなすが、正面形状は、周方向中央から左右方向に向かって対称的に下方に緩やかに傾斜する、逆Ｖ形状をなす。なお、床枠体１００において、Ｙは床枠体１００の長手方向を示し、Ｘは床枠体１００の幅方向を示す。また、上記各構成要素において、一側、他側、一端及び他端とは、図２４に示されているとおりの部位を示すものである。
【００１１】
半ユニットＨＵの各々は相互に実質的に同じ構成を有している。一対の半ユニットＨＵは、図１及び図３に示されている正面から見て、建築物を左右方向に区画する鉛直中心線に対し実質的に左右対称形状をなすよう配置される。
【００１２】
側壁枠体２００は、床枠体１００の上面に沿って延在する折畳位置と床枠体１００の上面から直立する使用位置との間を旋回しうるよう床枠体１００の幅方向一側部に一端部が支持されている。屋根枠体３００は、側壁枠体２００の内側面に沿って延在する折畳位置と側壁枠体２００が使用位置に位置付けられた状態で床枠体１００の幅方向に延在する使用位置との間を旋回しうるよう側壁枠体２００の他端部に一側部が支持されている。片方の端壁枠体４００は、床枠体１００の上面に沿って延在する折畳位置と床枠体１００の上面から直立する使用位置との間を旋回しうるよう、床枠体１００の長手方向一端部に片方の端壁枠体４００の一端部が支持されている。他方の端壁枠体４００は、床枠体１００の上面に沿って延在する折畳位置と床枠体１００の上面から直立する使用位置との間を旋回しうるよう、床枠体１００の長手方向他端部に他方の端壁枠体４００の一端部が支持されている。下側壁枠体６００は、床枠体１００の下面に沿って延在する折畳位置と床枠体１００の下面から垂下する使用位置との間を旋回しうるよう床枠体１００の幅方向一側部に一端部が支持されている。片方の下端壁枠体７００は、床枠体１００の下面に沿って延在する折畳位置と床枠体１００の下面から垂下する使用位置との間を旋回しうるよう床枠体１００の長手方向一端部に片方の下端壁枠体７００の一端部が支持されている。他方の下端壁枠体７００は、床枠体１００の下面に沿って延在する折畳位置と床枠体１００の下面から垂下する使用位置との間を旋回しうるよう床枠体１００の幅方向一側部に他方の下端壁枠体７００の一端部が支持されている。
【００１３】
次に半ユニットＨＵの構成の詳細を説明する。図１０を参照して、床枠体１００は、相互に幅方向に間隔をおいて長手方向に平行に延在する一側枠１０２及び他側枠１０４と、相互に長手方向に間隔をおいて平行に幅方向に延在する一端枠１０６及び他端枠１０８とを備えている。一端枠１０６は、他側枠１０４の一端を横切って側外方に一定の長さ延び出し、また他端枠１０８は、他側枠１０４の他端を横切って側外方に一定の長さ延び出している。一端枠１０６の一端は一側枠１０２の一端部内側に固定され、他端部は他側枠１０４の一端に固定されている。他端枠１０８の一端は一側枠１０２の他端部内側に固定され、他端部は他側枠１０４の他端に固定されている。一側枠１０２及び他側枠１０４間には、床枠体１００の長手方向に間隔をおいて複数の横枠１１０が配設されている。横枠１１０の各々は、一端枠１０６及び他端枠１０８に平行であり、各々の一端は一側枠１０２の内側に固定され、他端は他側枠１０４の内側に固定されている。一側枠１０２、他側枠１０４、一端枠１０６、他端枠１０８、及び床枠体１００の長手方向中央に位置する横枠１１０ａはＨ鋼からなり、横枠１１０ａ以外の横枠１１０は、横断面がチャンネル形の鋼材からなる。他側枠１０４の長手方向中央であって、横枠１１０ａの延長上には、他側枠１０４から側外方に一定の長さ延び出す横枠１１０ｂが配設されている。横枠１１０ｂの一端は他側枠１０４の外側に固定されている。他側枠１０４にはまた、複数の被連結板１０４ａが固定されている。被連結板１０４ａの各々は、他側枠１０４から側外方に、横枠１１０ａと同じ長さ延び出している。一側枠１０２、他側枠１０４、一端枠１０６、他端枠１０８、横枠１１０及び１１０ａの各々の上面は実質的に共通の平面上に配置され、一側枠１０２、他側枠１０４、一端枠１０６及び他端枠１０８の下面は、実質的に共通の平面上に配置されている。該上面と該下面は相互に平行である。
【００１４】
図１、図２、図１０及び図１１を参照して、床枠体１００の一側部の上面、すなわち床枠体１００の一側枠１０２の上面には、床枠体１００の両端間に間隔をおいて複数の支持部材１２０が該上面から直立せしめられている。支持部材１２０の各々は横断面が矩形の中空鋼材からなり、各々の下端が該上面に溶接により固定されている。支持部材１２０の各々の上端部には、支持部材１２０の各々の長手方向に間隔をおいて、それぞれ共通の軸線を有する２対の貫通孔１２０ａが形成されている（図１１においては、１対の貫通孔１２０ａのみが示されている）。軸線の各々は、床枠体１００の上面に対し上方に間隔をおいて平行に床枠体１００の長手方向に延在する。支持部材１２０の各々は相互に実質的に同じ構成を有している。他方、床枠体１００の両端部の上面、すなわち床枠体１００の一端枠１０６及び他端枠１０８の上面には、それぞれ、床枠体１００の両側間に間隔をおいて複数の支持部材１２２が該上面から直立せしめられている。支持部材１２２の各々は横断面が矩形の中空鋼材からなり、各々の下端が該上面に溶接により固定されている。支持部材１２２の各々の上端部には、支持部材１２２の各々の長手方向に間隔をおいて、それぞれ共通の軸線を有する２対の貫通孔（図示せず）が形成されている。軸線の各々は、床枠体１００の上面に対し上方に間隔をおいて平行に床枠体１００の幅方向に延在する。支持部材１２２の各々は相互に実質的に同じ構成を有している。支持部材１２０の各々と支持部材１２２の各々とは、相互に実質的に同じ構成を有しているが、支持部材１２０の各々は、支持部材１２２の各々よりも長い（該上面から上方への突出量が大きい）。支持部材１２０の各々の貫通孔１２０ａの各対の、床枠体１００の上面からの高さは、支持部材１２２の各々の貫通孔の各対の、床枠体１００の上面からの高さよりも高い。
【００１５】
次に図１〜図３を参照して、側壁枠体２００について説明する。側壁枠体２００が使用位置に位置付けられた状態で、側壁枠体２００は、相互に長手方向（図２におい左右方向）に間隔をおいて平行に上下方向に延在する複数の縦枠２０２と、相互に上下方向に間隔をおいて平行に側壁枠体２００の長手方向に延在する複数の横枠２０４とを備えている。縦枠２０２及び横枠２０４の各々は、横断面が矩形の中空鋼材からなり、相互に溶接により固定されている。複数の縦枠２０２の各々の一端部（図１〜図３において下端部）は、実質的に側壁枠体２００の下端部を規定し、また他端部（図１〜図３において上端部）は、実質的に側壁枠体２００の上端部を規定している。複数の縦枠２０２の一端部には、側壁枠体２００の横方向に間隔をおいて被支持部材である一対の被支持板２０６が溶接により固定されている（図１１参照）。被支持板２０６の各対は、対応する縦枠２０２の一端部から対応する縦枠２０２の延長方向に一定の長さ延び出している。被支持板２０６の各対には、各対の長手方向に間隔をおいて、それぞれ共通の軸線を有する２対の貫通孔２０６ａが形成されている（図１１においては、１対の貫通孔２０６ａのみが示されている）。軸線の各々は、相互に平行に側壁枠体２００の長手方向に延在する。被支持板２０６の各対における貫通孔２０６ａの各対間の間隔は、床枠体１００に配設された支持部材１２０の各々における貫通孔１２０ａの各対間の間隔と実質的に同じである。一対の被支持板２０６が配設された複数の縦枠２０２は、床枠体１００に配設された複数の支持部材１２０に対応して側壁枠体２００に配置されている。
【００１６】
側壁枠体２００の縦枠２０２の各々における一対の被支持板２０６は、対応する支持部材１２０の両側（床枠体１００の長手方向と同じ方向の両側）を挟んで位置付けられ、該一対の被支持板２０６において最先端部に位置する一対の貫通孔２０６ａが、該支持部材１２０の２対の貫通孔１２０ａのうち、下方に位置する一対の貫通孔１２０ａに整合させられる。相互に整合させられた該一対の貫通孔２０６ａ及び該一対の貫通孔１２０ａには軸部材であるピンＰが挿入されて図示しない抜け止めリングにより保持される。以上のとおりにして、側壁枠体２００は、縦枠２０２の各々を介して、対応する支持部材１２０に旋回可能に支持される。ピンＰの各々は、側壁枠体２００の旋回軸をなす。側壁枠体２００が折畳位置に位置付けられた状態で、側壁枠体２００の縦枠２０２の各々は、対応する支持部材１２０に対して実質的に直交する方向に延在する。側壁枠体２００が折畳位置から使用位置まで旋回させられると、側壁枠体２００の縦枠２０２の各々は、対応する支持部材１２０の延在方向と同じ方向に延在し（直立し）、かつ、縦枠２０２の各々における一対の被支持板２０６と、対応する支持部材１２０との間には重合部が形成される。該重合部の各々において、該一対の被支持板２０６において他の一対の貫通孔２０６ａが、該支持部材１２０の他の一対の貫通孔１２０ａに整合させられる。相互に整合させられた該他の一対の貫通孔２０６ａ及び該他の一対の貫通孔１２０ａに１個のボルトＢを挿入し、ナットＮにより離脱自在に締結することにより、側壁枠体２００は使用位置に保持される。このようにして、側壁枠体２００は、複数箇所をそれぞれ１個のボルトＢ及びナットＮにより解除自在にロックすることにより、容易かつ迅速にしかも確実に使用位置に保持される。ロックの解除も容易かつ迅速に行なうことができ、側壁枠体２００の折畳作業も容易かつ迅速に行なうことができる。
【００１７】
床枠体１００に配設された支持部材１２０の各々、支持部材１２０の各々に対応する、側壁枠体２００の縦枠２０２の各々における一対の被支持板２０６、ピンＰの各々などは、側壁枠体２００を床枠体１００に旋回自在に支持する旋回支持機構を構成する。また、側壁枠体２００の縦枠２０２の各々における一対の被支持板２０６と、対応する支持部材１２０との間に形成される重合部、該重合部において相互に整合させられる該他の一対の貫通孔２０６ａ及び該他の一対の貫通孔１２０ａ、１個のボルトＢ及びナットＮなどは、側壁枠体２００の旋回を解除自在にロックして側壁枠体２００を使用位置に保持する旋回ロック機構を構成する。なお、図１及び図３において、２００Ａは折畳位置に位置付けられた側壁枠体２００を示し、また２００Ｂは使用位置に位置付けられた側壁枠体２００を示している。側壁枠体２００の長手方向長さは床枠体１００の長手方向長さとほぼ同じであり、幅は床枠体１００の幅よりも短い。
【００１８】
複数の縦枠２０２の上記他端部の横方向（側壁枠体２００の横方向と一致する方向）における両側には、相互に側壁枠体２００の横方向に間隔をおいて平行に、支持部材である一対の支持板２０８が溶接により固定されている（図１２参照）。支持板２０８の各対は、側壁枠体２００が使用位置に位置付けられた状態で、対応する縦枠２０２の上記他端部（上端部）から上方に延び出し更に床枠体１００の他側方向にかつ上方に向かって比較的ゆるやかな傾斜で一定の長さ延び出している。該縦枠２０２の各々の他端は、一対の支持板２０８の傾斜と同じ角度及び方向で傾斜している。支持板２０８の各対には、各対の長手方向（床枠体１００の幅方向）に間隔をおいて、それぞれ共通の軸線を有する２対の貫通孔２０８ａが形成されている（図１１においては、一対の貫通孔２０８ａのみが示されている）。軸線の各々は、相互に平行に側壁枠体２００の長手方向に延在する。
【００１９】
図５、図６及び図１２を参照して、屋根枠体３００は、図５に示されている平面において、相互に幅方向（図５において左右方向）に間隔をおいて平行に長手方向（図５において上下方向）に延在する複数の縦枠３０２と、相互に長手方向に間隔をおいて平行に屋根枠体３００の幅方向に延在する複数の横枠３０４とを備えている。縦枠３０２及び横枠３０４の各々は、横断面が矩形の中空鋼材からなり、相互に溶接により固定されている。屋根枠体３００の一側部の縦枠３０２ａは、他の縦枠３０２よりも横断面積が大きく、また、屋根枠体３００の他側部の縦枠３０２ｂは、縦枠３０２ａを除く他の縦枠３０２よりも上下方向の長さが長い。縦枠３０２ａ及び３０２ｂを除く、他の縦枠３０２の各々の上面は実質的に共通の平面上に位置付けられ、縦枠３０２ｂの上面は、該平面よりも高い位置にあり、また下面は他の縦枠３０２の各々の下面と実質的に共通の平面上にある。縦枠３０２ａの幅方向内側の上端面は、縦枠３０２ａ及び３０２ｂを除く、他の縦枠３０２の各々の上面よりも低いが、幅方向外側の上端面はほぼ該上面と共通の平面上に位置付けられている。このような構成により、縦枠３０２ｂを除く、他の縦枠３０２及び３０２ａの各々の上面に屋根パネル３１０（図６参照）を配設することが容易となる。屋根枠体３００の長手方向長さは側壁枠体２００の長手方向長さよりも長く、幅は床枠体１００の幅よりも短い。
【００２０】
屋根枠体３００の両端に配設された横枠３０４の各々を除く他の横枠３０４の各々における、縦枠３０２ａ近傍の一端部には、該横枠３０４の各々の長手方向に間隔をおいて、それぞれ共通の軸線を有する２対の貫通孔３０４ａが形成されている（図１２においては、１個の貫通孔３０４ａのみが示されている）。軸線の各々は相互に平行に屋根枠体３００の長手方向に延在する。該他の横枠３０４の各々における、縦枠３０２ａ近傍の一端部は被支持部材を構成する。該他の横枠３０４の各々における貫通孔３０４ａの各対間の間隔は、側壁枠体３００の複数の縦枠２０２に配設された一対の支持板２０８における貫通孔２０８ａの各対間の間隔と実質的に同じである。２対の貫通孔３０４ａが形成された該他の横枠３０４の各々は、側壁枠体３００の複数の縦枠２０２に配設された一対の支持板２０８に対応して屋根枠体３００に配置されている。
【００２１】
屋根枠体３００の該他の横枠３０４の各々の一端部は、側壁枠体２００の、対応する縦枠２０２の支持部材である一対の支持板２０８の内側に位置付けられ、該他の横枠３０４の各々の一端部において該他の横枠３０４の各々の他端寄りに位置する一対の貫通孔３０４ａが、該縦枠２０２の一対の支持板２０８の先端部（床枠体１００の他側方向に延び出した先端部）に形成された一対の貫通孔２０８ａに整合させられる。相互に整合させられた該一対の貫通孔３０４ａ及び該一対の貫通孔２０８ａには軸部材であるピンＰが挿入されて図示しない抜け止めリングにより保持される。ピンＰの各々は、屋根枠体３００の旋回軸をなす。以上のとおりにして、屋根枠体３００は、該他の横枠３０４の各々を介して、側壁枠体２００の、対応する縦枠２０２の他端部に旋回可能に支持される。図１、図３及び図１２を参照して、屋根枠体３００が折畳位置に位置付けられた状態で、屋根枠体３００の該他の横枠３０４の各々の一端部は、側壁枠体２００の、対応する一対の支持板２０８の先端部において、該一対の支持板２０８に対してほぼ直交しかつ側壁枠体２００の内側面に沿って上下方向に延在する。屋根枠体３００が折畳位置から使用位置まで旋回させられると、屋根枠体３００の該他の横枠３０４の各々は、側壁枠体２００の、対応する縦枠２０２の他端面上において、該一対の支持板２０８に沿って床枠体１００の他側方向に向かって上方に傾斜せしめられる。そして該他の横枠３０４の各々と、対応する縦枠２０２の該一対の支持板２０８との間には重合部が形成される。該重合部の各々において、屋根枠体３００の該他の横枠３０４の各々における他の一対の貫通孔３０４ａが、対応する該一対の支持板２０８における他の一対の貫通孔２０８ａに整合させられる。相互に整合させられた該他の一対の貫通孔３０４ａ及び該他の一対の貫通孔２０８ａに１個のボルトＢを挿入し、ナットＮにより離脱自在に締結することにより、屋根枠体３００は使用位置に保持される。このようにして、屋根枠体３００は、複数箇所をそれぞれ１個のボルトＢ及びナットＮにより解除自在にロックすることにより、容易かつ迅速にしかも確実に使用位置に保持される。ロックの解除も容易かつ迅速に行なうことができ、屋根枠体３００の折畳作業も容易かつ迅速に行なうことができる。なお、図１及び図３において、３００Ａは折畳位置に位置付けられた屋根枠体３００を示し、また３００Ｂは使用位置に位置付けられた屋根枠体３００を示している。
【００２２】
側壁枠体２００の縦枠２０２の各々における一対の支持板２０８、縦枠２０２の各々における一対の支持板２０８に対応する、屋根枠体３００の横枠３０４、ピンＰなどは、屋根枠体３００を側壁枠体２００の上記他端部に旋回自在に支持する旋回支持機構を構成する。また、側壁枠体２００の縦枠２０２の各々における一対の支持板２０８と、屋根枠体３００の、対応する横枠３０４との間に形成される重合部、該重合部において相互に整合される該他の一対の貫通孔３０４ａ及び該他の一対の貫通孔２０８ａ１個のボルトＢ、ナットＮなどは、屋根枠体３００の旋回を解除自在にロックして屋根枠体３００を使用位置に保持する旋回ロック機構を構成する。
【００２３】
次に、図１〜図３を参照して、片方の端壁枠体４００について説明する。片方の端壁枠体４００が使用位置に位置付けられた状態で、該端壁枠体４００は、相互に幅方向（図１において左右方向）に間隔をおいて平行に上下方向に延在する複数の縦枠４０２と、相互に間隔をおいて平行に該端壁枠体４００の幅方向に延在する複数の横枠４０４と、横枠４０４の各々に対し傾斜した横枠４０４ａとを備えている。縦枠４０２及び横枠４０４の各々は、横断面が矩形の中空鋼材からなり、相互に溶接により固定されている。該端壁枠体４００において、一側部を規定する縦枠４０２ａよりも、他側部を規定する縦枠４０２ｂの方が長く、横枠４０４ａは、縦枠４０２の各々の他端部間（図１において上端部間）を延在する。したがって、横枠４０４ａは、該端壁枠体４００の一側から他側に向かって上方に傾斜している。複数の縦枠４０２は、該端壁枠体４００の一端部（図１において下端部）に位置する横枠４０４ｂから外方に（図１において下方に）一定の長さ延び出している。複数の縦枠４０２の一端部（図１において下端部）には、幅方向（該端壁枠体４００の幅方向と同じ方向）に間隔をおいて図示しない一対の被支持板が固定されている。被支持板の各対は、対応する縦枠４０２の一端部から、該縦枠４０２の延長方向に一定の長さ延び出している。被支持板の各対には、各対の長手方向に間隔をおいて、それぞれ共通の軸線を有する図示しない２対の貫通孔が形成されている。複数の縦枠４０２の一端部における被支持板の各対及び貫通孔の各対は、側壁枠体２００の、対応する縦枠２０２の一対の被支持板２０６及び貫通孔２０６ａの各対（図１１参照）と、それぞれ実質的に同じ構成を有している。
【００２４】
片方の端壁枠体４００は、側壁枠体２００を床枠体１００に旋回自在に支持する上記旋回支持機構（図１１参照）と実質的に同じ旋回支持機構により、床枠体１００の一端部に配設された複数の支持部材１２２に旋回可能に支持されている。片方の端壁枠体４００はまた、側壁枠体２００の旋回をロックして側壁枠体２００を使用位置に保持する上記旋回ロック機構（図１１参照）と実質的に同じ旋回ロック機構により、使用位置に解除自在に保持される。すなわち、該端壁枠体４００の縦枠４０２の各々における一対の被支持板は、対応する支持部材１２２の両側（床枠体１００の幅方向と同じ方向の両側）を挟んで位置付けられ、該一対の被支持板において最先端部に位置する一対の貫通孔が、該支持部材１２２の２対の貫通孔のうち、下方に位置する一対の貫通孔に整合させられる。相互に整合させられた該一対の被支持板における該一対の貫通孔及び該支持部材１２２の該一対の貫通孔には軸部材であるピンが挿入されて図示しない抜け止めリングにより保持される。以上のとおりにして、該端壁枠体４００は、縦枠４０２の各々を介して、対応する支持部材１２２に旋回可能に支持される。ピンの各々は、該端壁枠体４００の旋回軸をなす。該端壁枠体４００が折畳位置に位置付けられた状態で、該端壁枠体４００の縦枠４０２の各々は、対応する支持部材１２２に対して実質的に直交する方向に延在する。該端壁枠体４００が折畳位置から使用位置まで旋回させられると、該端壁枠体４００の縦枠４０２の各々は、対応する支持部材１２２の延在方向と同じ方向に延在し（直立し）、かつ、縦枠４０２の各々における一対の被支持板と、対応する支持部材１２２との間には重合部が形成される。該重合部の各々において、該一対の被支持板の他の一対の貫通孔が、該支持部材１２２の他の一対の貫通孔に整合させられる。相互に整合させられた該一対の被支持板の該他の一対の貫通孔及び該支持部材１２２の該他の一対の貫通孔に１個のボルトを挿入し、ナットにより離脱自在に締結することにより、該端壁枠体４００は使用位置に保持される。このようにして、該端壁枠体４００は、複数箇所をそれぞれ１個のボルト及びナットにより解除自在にロックすることにより、容易かつ迅速にしかも確実に使用位置に保持される。ロックの解除も容易かつ迅速に行なうことができ、該端壁枠体４００の折畳作業も容易かつ迅速に行なうことができる。なお、図２において、４００Ａは折畳位置に位置付けられた該端壁枠体４００を示し、また４００Ｂは使用位置に位置付けられた該端壁枠体４００を示している。該端壁枠体４００の幅は床枠体１００の幅よりも短い。また該端壁枠体４００及び側壁枠体２００が使用位置に位置付けられた状態で、該端壁枠体４００の上端部に位置する横枠４０４ａの上端面は、実質的に、側壁枠体２００の縦枠２０２の傾斜した上端面の延長上を延在するよう位置付けられる。
【００２５】
他方の端壁枠体４００は、上記した片方の端壁枠体４００と実質的に同じ構成を有し、また片方の端壁枠体４００と床枠体１００との間に備えられた上記旋回支持機構により、床枠体１００の他端部に支持され、かつ、片方の端壁枠体４００と床枠体１００との間に備えられた上記旋回ロック機構と実質的に同じ旋回ロック機構により使用位置に位置付けられるので、説明は省略する。
【００２６】
床枠体１００の上面において、側壁枠体２００、屋根枠体３００及び端壁枠体４００の各々が使用位置に位置付けられた状態で、端壁枠体４００の各々の一側面は、側壁枠体２００の両側部の内側面にそれぞれ対向せしめられる。図１、図１４及び図１５を参照して、床枠体１００の一端部に配設された片方の端壁枠体４００の該一側面を含む一側部を規定する縦枠４０２ａと側壁枠体２００の該内側面を含む一側部を規定する縦枠２０２との間には、片方の端壁枠体４００の縦枠４０２ａと側壁枠体２００の該縦枠２０２との間を分離自在に連結する複数の連結手段が配設されている。実施形態においては、縦枠４０２ａと該縦枠２０２との間に隙間が形成されるので、連結時には補助縦枠２が該隙間に挿入される。補助縦枠２は横断面が矩形の中空鋼材からなる。なお、縦枠４０２ａと該縦枠２０２との間には隙間が形成されない場合には、補助縦枠２を用いることなく、縦枠４０２ａと該縦枠２０２とが直接連結されることはいうまでもない。後に説明する連結手段を利用して相互に分離自在に連結する、後述する他の部材間においても同じことがいえる。連結手段の各々は、側壁枠体２００、屋根枠体３００及び端壁枠体４００の各々が使用位置に位置付けられた状態で、上下方向に間隔をおいて配置され、相互に実質的に同じ構成を有するので、そのうちの一つについて説明する。
【００２７】
連結手段は、１個の袋ナット部材４及びボルト６を備えている。断面が円形の鋼製ロッド部材を加工してなる袋ナット部材４は、開口端と閉塞端とを有するねじ孔４ａを備えている。片方の端壁枠体４００の縦枠４０２ａ、補助縦枠２及び側壁枠体２００の該縦枠２０２には、それぞれ貫通孔が形成されている。片方の端壁枠体４００及び側壁枠体２００が使用位置に位置付けられた状態で、かつ両者の隙間に補助縦枠２が密着して挿入された状態で、該貫通孔の各々は、縦枠４０２ａ、補助縦枠２及び該縦枠２０２において、それぞれ、矩形の中空横断面を構成する一対の側板であって床枠体１００の幅方向に対向する一対の側板を貫通し、かつ実質的に、床枠体１００の幅方向に延在する共通の軸線上に位置付けられる。片方の端壁枠体４００の縦枠４０２ａの貫通孔に袋ナット部材４が挿入される。袋ナット部材４の両端面は、縦枠４０２ａの一対の側板の外面と実質的に同一面上に位置付けられる。袋ナット部材４の両端周縁は、対応する側板の貫通孔の周縁に溶接により固定される。袋ナット部材４の開口端は、片方の端壁枠体４００の一側面である縦枠４０２ａの側面（床枠体１００の一側方向に面した側面）に配置されて、側壁枠体２００の一側部の内側面である該縦枠２０２の側面（床枠体１００の他側方向に面した側面）に対向せしめられる。袋ナット部材４の開口端は、要するに床枠体１００の幅方向の一側方向に向けられ、閉塞端は床枠体１００の幅方向の他側方向に向けられる。
【００２８】
補助縦枠２の貫通孔はボルト６の軸部の挿入及び離脱を許容しうる直径を有している。側壁枠体２００の該縦枠２０２の一対の側板のうち、外面が床枠体１００の他側方向に向けられた側板に形成された貫通孔は、ボルト６の軸部の挿入及び離脱を許容する直径を有しかつ頭部の挿入は許容しない直径を有しているが、外面が床枠体１００の一側方向に向けられた側板に形成された貫通孔２０３は、ボルト６の頭部の挿入及び離脱を許容すると共にボルト６の締結及び締結解除作業を許容する直径を有している。
【００２９】
片方の端壁枠体４００及び側壁枠体２００が使用位置に位置付けられた状態で、かつ両者の隙間に補助縦枠２が密着して挿入された状態で、側壁枠体２００の該縦枠２０２の貫通孔２０３からボルト６が挿入され、袋ナット部材４のねじ孔４ａに係合される。片方の端壁枠体４００の縦枠４０２ａと側壁枠体２００の該縦枠２０２とは、補助縦枠２を介してボルト６により分離自在に締結される。このように、片方の端壁枠体４００の一側部と側壁枠体２００の一側部との連結は、床枠体１００の一端部における幅方向一側の外方からボルト６を袋ナット部材４にねじ込むだけの簡単な作業で迅速に遂行しうる。また縦枠４０２ａ、補助縦枠２及び該縦枠２０２の周辺に壁板などが配設されていても、該縦枠２０２の貫通孔２０３は、側壁枠体２００の一側部の外方に開口しているので、ボルト６の締結及び締結解除作業への影響はない。
【００３０】
床枠体１００の他端部に配設された他方の端壁枠体４００の該一側面を含む一側部を規定する縦枠４０２ａと側壁枠体２００の該内側面を含む他側部を規定す縦枠２０２との間には、他方の端壁枠体４００の縦枠４０２ａと側壁枠体２００の該縦枠２０２との間を分離自在に連結する複数の連結手段が配設されている。この連結手段の各々は、片方の端壁枠体４００の縦枠４０２ａと側壁枠体２００の一側部を規定する縦枠２０２との間に配設された上記連結手段と実質的に同じ構成を有しているので、説明は省略する。他方の端壁枠体４００の一側部と側壁枠体２００の他側部との連結は、床枠体１００の他端部における幅方向一側の外方からボルト６を袋ナット部材４にねじ込むだけの簡単な作業で迅速に遂行しうる。また縦枠４０２ａ、補助縦枠２及び該縦枠２０２の周辺に壁板などが配設されていても、該縦枠２０２の貫通孔２０３は、側壁枠体２００の他側部の外方に開口しているので、ボルト６の締結及び締結解除作業への影響はない。
【００３１】
床枠体１００の上面において、側壁枠体２００、屋根枠体３００及び端壁枠体４００の各々が使用位置に位置付けられた状態で、屋根枠体３００の両端部の内側面は、対応する端壁枠体４００の他端部（端壁枠体４００が使用位置に位置付けられているときには上端部）に含まれる他端面（同、上端面）に上方から対向せしめられる。図１及び図５〜図７を参照して、屋根枠体３００の一端部に配設された横枠３０４の内側面（下面）は、床枠体１００の一端部に配設された片方の端壁枠体４００の上端部の横枠４０４ａの上面に上方から載置される。片方の端壁枠体４００の横枠４０４ａと、屋根枠体３００の一端部の該横枠３０４との間には、屋根枠体３００の一端部を片方の端壁枠体４００に分離自在に連結する複数の連結手段が配設されている。連結手段の各々は、先に図１４及び図１５を参照して説明した連結手段と実質的に同じ構成を有しているので、実質的に同一部分は同一符号で示し、詳細な説明は省略する。連結手段の各々において、袋ナット４は、屋根枠体３００の横枠３０４に配設され、開口端は横枠３０４の下面に配置されて該端壁枠体４００の横枠４０４ａの上面に対向せしめられ、閉塞端は横枠３０４の上面に配置される。この構成により雨水の流入が防止される。該端壁枠体４００の横枠４０４ａの、袋ナット４に対応した位置には、図１４及び図１５に示すと実質的に同じ貫通孔が形成されている。比較的大径の貫通孔を含む貫通孔の各々は、実質的に上下方向に延在する軸線を有している。この様な構成により、ボルト６を袋ナット４に締め込む作業は、屋根枠体３００の内側から容易かつ迅速に遂行可能であり、したがって、屋根枠体３００の一端部を片方の端壁枠体４００に分離自在に連結する作業は屋根枠体３００の内側から容易かつ迅速に遂行可能である。
【００３２】
屋根枠体３００の他端部に配設された横枠３０４の内側面（下面）は、床枠体１００の他端部に配設された他方の端壁枠体４００の上端部の横枠４０４ａの上面に上方から載置される。他方の端壁枠体４００の横枠４０４ａと、屋根枠体３００の他端部の該横枠３０４との間には、屋根枠体３００の他端部を他方の端壁枠体４００に分離自在に連結する複数の連結手段が配設されている。この連結手段は、上記連結手段と実質的に同じであるので説明は省略する。屋根枠体３００の一端部に配設された横枠３０４は、床枠体１００の一端部に配設された片方の端壁枠体４００の横枠４０４ａに、上記連結手段により分離自在に連結され、また、屋根枠体３００の他端部に配設された横枠３０４は、床枠体１００の他端部に配設された他方の端壁枠体４００の横枠４０４ａに上記連結手段により分離自在に連結される。屋根枠体３００は、床枠体１００の一側から他側に向かって床枠体１００の上面に対し上方に傾斜せしめられる。
【００３３】
図１、図２、図１０及び図１３を参照して、床枠体１００の一側部の下面、すなわち床枠体１００の一側枠１０２の下面には、床枠体１００の両端間に間隔をおいて複数の支持部材１３０が該下面から垂下せしめられている。支持部材１３０の各々は横断面が矩形の中空鋼材からなり、各々の上端が該下面に溶接により固定されている。支持部材１３０の各々の下端部には、支持部材１３０の各々の長手方向に間隔をおいて、それぞれ共通の軸線を有する２対の貫通孔１３０ａが形成されている（図１３においては、１対の貫通孔１３０ａのみが示されている）。軸線の各々は、床枠体１００の該下面に対し下方に間隔をおいて平行に床枠体１００の長手方向に延在する。支持部材１３０の各々は相互に実質的に同じ構成を有している。他方、床枠体１００の両端部の下面、すなわち床枠体１００の一端枠１０６及び他端枠１０８の下面には、それぞれ、床枠体１００の両側間に間隔をおいて複数の支持部材１３２が該下面から垂下せしめられている。支持部材１３２の各々は横断面が矩形の中空鋼材からなり、各々の上端が該下面に溶接により固定されている。支持部材１３２の各々の下端部には、支持部材１３２の各々の長手方向に間隔をおいて、それぞれ共通の軸線を有する２対の貫通孔（図示せず）が形成されている。軸線の各々は、床枠体１００の該下面に対し下方に間隔をおいて平行に床枠体１００の幅方向に延在する。支持部材１３２の各々は相互に実質的に同じ構成を有している。支持部材１３０の各々と支持部材１３２の各々とは、相互に実質的に同じ構成を有しているが、支持部材１３０の各々は、支持部材１３２の各々よりも長い（該下面から下方への突出量が大きい）。したがって、支持部材１３０の各々の貫通孔１３０ａの各対は、床枠体１００の下面を基準として、支持部材１３２の各々の貫通孔の各対の位置よりも、低い位置にある。
【００３４】
次に図１〜図３を参照して、下側壁枠体５００について説明する。下側壁枠体５００が使用位置に位置付けられた状態で、下側壁枠体５００は、相互に長手方向（図２におい左右方向）に間隔をおいて平行に上下方向に延在する複数の縦枠５０２と、相互に上下方向に間隔をおいて平行に下側壁枠体５００の長手方向に延在する複数の横枠５０４とを備えている。下側壁枠体５００の他端部（図１及び図２において下端部）は、下側壁枠体５００の両側間を延在する横枠である基礎枠５１０からなる。縦枠５０２及び横枠５０４の各々は、横断面が矩形の中空鋼材からなり、相互に溶接により固定されている。基礎枠５１０はＨ鋼からなり、その上面は複数の縦枠５０２の下端に溶接により固定されている。複数の縦枠５０２の各々の一端部（図１〜図３において上端部）は、実質的に下側壁枠体５００の一端部を規定している。複数の縦枠５０２の一端部には、下側壁枠体５００の横方向に間隔をおいて被支持部材である一対の被支持板５０６が溶接により固定されている（図１３参照）。被支持板５０６の各対は、対応する縦枠５０２の一端部から対応する縦枠５０２の延長方向に一定の長さ延び出している。被支持板５０６の各対には、各対の長手方向に間隔をおいて、それぞれ共通の軸線を有する２対の貫通孔５０６ａが形成されている（図１３においては、１対の貫通孔５０６ａのみが示されている）。軸線の各々は、相互に平行に下側壁枠体５００の長手方向に延在する。被支持板５０６の各対における貫通孔５０６ａの各対間の間隔は、床枠体１００に配設された支持部材１３０の各々における貫通孔１３０ａの各対間の間隔と実質的に同じである。一対の被支持板５０６が配設された複数の縦枠５０２は、床枠体１００に配設された複数の支持部材１３０に対応して下側壁枠体５００に配置されている。
【００３５】
下側壁枠体５００の縦枠５０２の各々における一対の被支持板５０６は、対応する支持部材１３０の両側（床枠体１００の長手方向と同じ方向の両側）を挟んで位置付けられ、該一対の被支持板５０６において最先端部に位置する一対の貫通孔５０６ａが、該支持部材１３０の２対の貫通孔１３０ａのうち、上方に位置する一対の貫通孔１３０ａに整合させられる。相互に整合させられた該一対の貫通孔５０６ａ及び該一対の貫通孔１３０ａには軸部材であるピンＰが挿入されて図示しない抜け止めリングにより保持される。以上のとおりにして、下側壁枠体５００は、縦枠５０２の各々を介して、対応する支持部材１３０に旋回可能に支持される。ピンＰの各々は、下側壁枠体５００の旋回軸をなす。下側壁枠体５００が折畳位置に位置付けられた状態で、下側壁枠体５００の縦枠５０２の各々は、対応する支持部材１３０に対して実質的に直交する方向に延在する。下側壁枠体５００が折畳位置から使用位置まで旋回させられると、下側壁枠体５００の縦枠５０２の各々は、対応する支持部材１３０の延在方向と同じ方向に延在し（垂下し）、かつ、縦枠５０２の各々における一対の被支持板５０６と、対応する支持部材１３０との間には重合部が形成される。該重合部の各々において、該一対の被支持板５０６において他の一対の貫通孔５０６ａが、該支持部材１３０の他の一対の貫通孔１３０ａに整合させられる。相互に整合させられた該他の一対の貫通孔５０６ａ及び該他の一対の貫通孔１３０ａに１個のボルトＢを挿入し、ナットＮにより離脱自在に締結することにより、下側壁枠体５００は使用位置に保持される。このようにして、下側壁枠体５００は、複数箇所をそれぞれ１個のボルトＢ及びナットＮにより解除自在にロックすることにより、容易かつ迅速にしかも確実に使用位置に保持される。ロックの解除も容易かつ迅速に行なうことができ、下側壁枠体５００の折畳作業も容易かつ迅速に行なうことができる。
【００３６】
床枠体１００に配設された支持部材１３０の各々、支持部材１３０の各々に対応する、下側壁枠体５００の縦枠５０２の各々における一対の被支持板５０６、ピンＰの各々などは、下側壁枠体５００を床枠体１００に旋回自在に支持する旋回支持機構を構成する。また、下側壁枠体５００の縦枠５０２の各々における一対の被支持板５０６と、対応する支持部材１３０との間に形成される重合部、該重合部において相互に整合させられる該他の一対の貫通孔５０６ａ及び該他の一対の貫通孔１３０ａ、１個のボルトＢ及びナットＮなどは、下側壁枠体５００の旋回をロックして下側壁枠体５００を使用位置に保持する旋回ロック機構を構成する。なお、図１及び図３において、５００Ａは折畳位置に位置付けられた下側壁枠体５００を示し、また５００Ｂは使用位置に位置付けられた下側壁枠体５００を示している。下側壁枠体５００の長手方向長さは床枠体１００の長手方向長さとほぼ同じであり、幅は床枠体１００の幅とほぼ同じである。
【００３７】
次に、図１〜図３を参照して、片方の下端壁枠体６００について説明する。片方の下端壁枠体６００が使用位置に位置付けられた状態で、該下端壁枠体６００は、相互に幅方向（図１において左右方向）に間隔をおいて平行に上下方向に延在する複数の縦枠６０２と、相互に間隔をおいて平行に該下端壁枠体６００の幅方向に延在する複数の横枠６０４とを備えている。該下端壁枠体６００の他端部（図１及び図２において下端部）は、下側壁枠体６００の両側間を延在する横枠である基礎枠６１０からなる。縦枠６０２及び横枠６０４の各々は、横断面が矩形の中空鋼材からなり、相互に溶接により固定されている。基礎枠６１０はＨ鋼からなり、その上面は複数の縦枠６０２の下端に溶接により固定されている。複数の縦枠６０２は、該下端壁枠体６００の一端部（図１において上端部）に位置する横枠６０４から外方に（図１において上方に）一定の長さ延び出している。複数の縦枠６０２の一端部（図１において上端部）には、幅方向（該下端壁枠体６００の幅方向と同じ方向）に間隔をおいて図示しない一対の被支持板が固定されている。被支持板の各対は、対応する縦枠６０２の一端部から対応する縦枠６０２の延長方向に一定の長さ延び出している。被支持板の各対には、各対の長手方向に間隔をおいて、それぞれ共通の軸線を有する図示しない２対の貫通孔が形成されている。複数の縦枠６０２の一端部における被支持板の各対及び貫通孔の各対は、下側壁枠体５００の、対応する縦枠５０２の一対の被支持板５０６及び貫通孔５０６ａの各対（図１１参照）と、それぞれ実質的に同じ構成を有している。
【００３８】
片方の下端壁枠体６００は、下側壁枠体５００を床枠体１００に旋回自在に支持する上記旋回支持機構（図１３参照）と実質的に同じ旋回支持機構により、床枠体１００の一端部に配設された複数の支持部材１３２に旋回可能に支持されている。片方の下端壁枠体６００はまた、下側壁枠体５００の旋回をロックして下側壁枠体５００を使用位置に保持する上記旋回ロック機構（図１３参照）と実質的に同じ旋回ロック機構により、使用位置に解除自在に保持される。すなわち、該下端壁枠体６００の縦枠６０２の各々における一対の被支持板は、対応する支持部材１３２の両側（床枠体１００の幅方向と同じ方向の両側）を挟んで位置付けられ、該一対の被支持板において最先端部に位置する一対の貫通孔が、該支持部材１３２の２対の貫通孔のうち、上方に位置する一対の貫通孔に整合させられる。相互に整合させられた該一対の被支持板における該一対の貫通孔及び該支持部材１３２の該一対の貫通孔には軸部材であるピンが挿入されて図示しない抜け止めリングにより保持される。以上のとおりにして、該下端壁枠体６００は、縦枠６０２の各々を介して、対応する支持部材１３２に旋回可能に支持される。ピンの各々は、該下端壁枠体６００の旋回軸をなす。該下端壁枠体６００が折畳位置に位置付けられた状態で、該下端壁枠体６００の縦枠６０２の各々は、対応する支持部材１６２に対して実質的に直交する方向に延在する。該下端壁枠体６００が折畳位置から使用位置まで旋回させられると、該下端壁枠体６００の縦枠６０２の各々は、対応する支持部材１３２の延在方向と同じ方向に延在し（垂下し）、かつ、縦枠６０２の各々における一対の被支持板と、対応する支持部材１３２との間には重合部が形成される。該重合部の各々において、該一対の被支持板の他の一対の貫通孔が、該支持部材１３２の他の一対の貫通孔に整合させられる。相互に整合させられた該一対の被支持板の該他の一対の貫通孔及び該支持部材１３２の該他の一対の貫通孔に１個のボルトを挿入し、ナットにより離脱自在に締結することにより、該下端壁枠体６００は使用位置に保持される。このようにして、該下端壁枠体６００は、複数箇所をそれぞれ１個のボルト及びナットにより解除自在にロックすることにより、容易かつ迅速にしかも確実に使用位置に保持される。ロックの解除も容易かつ迅速に行なうことができ、該下端壁枠体６００の折畳作業も容易かつ迅速に行なうことができる。なお、図２において、６００Ａは折畳位置に位置付けられた該下端壁枠体６００を示し、また６００Ｂは使用位置に位置付けられた該下端壁枠体６００を示している。該下端壁枠体６００の幅は床枠体１００の幅よりも短い。
【００３９】
他方の下端壁枠体６００は、上記した片方の下端壁枠体６００と実質的に同じ構成を有し、また片方の下端壁枠体６００と床枠体１００との間に備えられた上記旋回支持機構により、床枠体１００の他端部に支持され、かつ、片方の下端壁枠体６００と床枠体１００との間に備えられた上記旋回ロック機構と実質的に同じ旋回ロック機構により使用位置に位置付けられるので、説明は省略する。
【００４０】
床枠体１００の下面において、下側壁枠体５００及び下端壁枠体６００の各々が使用位置に位置付けられた状態において、下端壁枠体６００の各々の一側面は、下側壁枠体５００の両側部の内側面にそれぞれ対向せしめられる。図１及び図２を参照して、床枠体１００の一端部に配設された片方の下端壁枠体６００の該一側面を含む一側部を規定する縦枠６０２と、下側壁枠体５００の該内側面を含む一側部を規定する縦枠５０２との間には、片方の下端壁枠体６００の該縦枠６０２と、下側壁枠体５００の該縦枠５０２との間を分離自在に連結する複数の連結手段が配設されている。この連結手段の各々は、先に述べた、片方の端壁枠体４００の縦枠４０２ａと側壁枠体２００の一側部を規定する縦枠２０２との間に配設された上記連結手段（図１４及び図１５参照）と実質的に同じ構成を有しているので、説明は省略する（袋ナット部材４はもちろん片方の下端壁枠体６００の該縦枠６０２に配設されている）。片方の下端壁枠体６００の一側部と下側壁枠体５００の一側部との連結は、床枠体１００の一端部における幅方向一側の外方からボルト６を袋ナット部材４にねじ込むだけの簡単な作業で迅速に遂行しうる。また縦枠６０２及び該縦枠５０２の周辺に壁板などが配設されていても、該縦枠５０２の貫通孔５０３は、側壁枠体５００の一側部の外方に開口しているので、ボルト６の締結及び締結解除作業への影響はない。
【００４１】
床枠体１００の他端部に配設された他方の下端壁枠体６００の該一側面を含む一側部を規定する縦枠６０２と、下側壁枠体５００の該内側面を含む他側部を規定する縦枠５０２との間には、他方の下端壁枠体６００の該縦枠６０２と、下側壁枠体５００の該縦枠５０２との間を分離自在に連結する複数の連結手段が配設されている。この連結手段の各々は、先に述べた連結手段（図１４及び図１５参照）と実質的に同じ構成を有しているので、説明は省略する（袋ナット部材４はもちろん他方の下端壁枠体６００の該縦枠６０２に配設されている）。他方の下端壁枠体６００の一側部と下側壁枠体５００の他側部との連結は、床枠体１００の他端部における幅方向一側の外方からボルト６を袋ナット部材４にねじ込むだけの簡単な作業で迅速に遂行しうる。また縦枠６０２及び該縦枠５０２の周辺に壁板などが配設されていても、該縦枠５０２の貫通孔５０３は、側壁枠体５００の他側部の外方に開口しているので、ボルト６の締結及び締結解除作業への影響はない。
【００４２】
上記の如く構成された半ユニットＨＵの各々において、側壁枠体２００、屋根枠体３００、及び端壁枠体４００の各々が折畳位置に位置付けられた状態において、側壁枠体２００、屋根枠体３００、及び端壁枠体４００の各々が、床枠体１００の幅方向外側に実質的に突出しないよう構成された場合には（図４参照）、半ユニットＨＵの構成が最小限にコンパクト化され、効率的な輸送（省スペース、積み重ね可能など）及び効率的な保管（省スペース、積み重ね可能など）の達成が可能になる。またトラックによる輸送も可能である。上記特徴によってコストも低減される。同様に、半ユニットＨＵの各々において、下側壁枠体５００及び下端壁枠体６００の各々が折畳位置に位置付けられた状態において、下側壁枠体５００及び下端壁枠体６００の各々が、床枠体１００の幅方向外側に実質的に突出しないよう構成された場合には（図４参照）、上記したと同じ効果が達成される。上記特徴によってコストも低減される。
【００４３】
半ユニットＨＵの各々において、側壁枠体２００の旋回軸及び端壁枠体４００の各々の旋回軸は床枠体１００の上面よりも上方に配置され、側壁枠体２００の旋回軸は端壁枠体４００の各々の旋回軸よりも上方に配置され、端壁枠体４００の各々が折畳位置に位置付けられた状態で、側壁枠体２００は、折畳位置に位置付けられた屋根枠体３００と共に端壁枠体４００の各々の上方から重合して折畳位置に位置付けられるので（図４参照）、半ユニットＨＵの構成が最小限にコンパクト化され、効率的な輸送（省スペース、積み重ね可能など）及び効率的な保管（省スペース、積み重ね可能など）の達成が可能になる。またトラックによる輸送も可能である。上記特徴によってコストも低減される。
【００４４】
半ユニットＨＵの各々において、下側壁枠体５００の旋回軸及び下端壁枠体６００の各々の旋回軸は床枠体１００の下面よりも下方に配置され、下側壁枠体５００の旋回軸は下端壁枠体６００の各々の旋回軸よりも下方に配置され、下端壁枠体６００の各々が折畳位置に位置付けられた状態で、下側壁枠体５００は下端壁枠体６００の各々の下方から重合して折畳位置に位置付けられるので（図４参照）、半ユニットＨＵの構成が最小限にコンパクト化され、効率的な輸送（省スペース、積み重ね可能など）及び効率的な保管（省スペース、積み重ね可能など）の達成が可能になる。またトラックによる輸送も可能である。上記特徴によってコストも低減される。
【００４５】
建設現場に半ユニットＨＵをトラックにより輸送した後、床枠体１００の各々の他側部における他側面が相互に対向するよう床枠体１００の各々を分離自在に固定することにより半ユニットＨＵの各々は一つのユニットにせしめられる。この作業は、先ず、クレーンを利用して半ユニットＨＵの各々の床枠体１００を、各々の他側面が相互に対向するよう載置面上に位置付ける。次いで、図１０に示されているように、半ユニットＨＵの各々の他側枠１０４から側外方に延び出している横枠１１０ｂ及び被連結板１０４ａの各々を相互に突き合わせ、一対の連結板でそれらを両側から挟んでボルト及びナットにより締結することにより、床枠体１００の各々を分離自在に固定する。床枠体１００の各々の上面及び下面は、それぞれ、相互に実質的に平行な共通の平面上に位置付けられる。このようにして、半ユニットＨＵの各々は容易かつ迅速に一つのユニットにせしめられる。
【００４６】
図１及び図３を参照して、次に、半ユニットＨＵの各々の床枠体１００の上面にそれぞれ折り畳まれている端壁枠体４００の各々上に重合して折り畳まれている側壁枠体２００を側壁枠体２００の内側に折り畳まれている屋根枠体３００と共に使用位置まで旋回させてロックする。床枠体１００の各々の上面に直立させられた側壁枠体２００に対し、屋根枠体３００を旋回させて使用位置にロックする（図２５参照）。これらのロックはいわゆる仮り止めでよい。次に、床枠体１００の各々の上面に折り畳まれている端壁枠体４００の各対を使用位置まで旋回させてロックする（図２６参照）。そして全てのロックを完全に行なう。屋根枠体３００の各々は、それぞれ、対応する床枠体１００の一側から他側に向かって床枠体１００の上面に対し上方に傾斜せしめられる。
【００４７】
床枠体１００の各々の一端部に配設された片方の端壁枠体４００の他側部を規定する縦枠４０２ｂに含まれる他側面同士は相互に対向せしめられる（図７参照）。片方の端壁枠体４００の各々の縦枠４０２ｂ間には、縦枠４０２ｂの各々を分離自在に連結する複数の連結手段が配設されている。連結手段の各々は、先に述べた連結手段（図１４及び図１５参照）と実質的に同じであるので、説明は省略する。連結手段の袋ナット部材４は、片方の端壁枠体４００のうちのいずれか一方における縦枠４０２ｂに配設される。片方の端壁枠体４００のうちの他方には、ボルト６を挿入して締結するための上記貫通孔が形成されることはいうまでもない。実施形態においては、縦枠４０２ｂの各々間には隙間が形成されるので、相互の連結時には補助縦枠２が該隙間に挿入される。この構成も先に述べたとおりである。片方の端壁枠体４００の各々の縦枠４０２ｂが補助縦枠２を挟んで連結手段により分離自在に連結されることにより、使用位置に位置付けられた片方の端壁枠体４００の各々同士は、しっかりと連結される。床枠体１００の各々の他端部に配設された他方の端壁枠体４００の縦枠４０２ｂ同士も、同様にして分離自在に連結される。
【００４８】
側壁枠体２００、屋根枠体３００及び端壁枠体の全てを使用位置に保持することにより、相互に固定された一対の床枠体１００の上方には、側壁枠体２００、屋根枠体３００及び端壁枠体４００の全てに囲まれた一つの立体空間が形成される。屋根枠体３００の各々の他側部における他側面は、一対の床枠体１００の幅方向に間隔をおいて相互に対向せしめられる（図３、図２６及び図２７参照）。ワイヤ手段Ｗを床枠体１００の各々の適宜の箇所に引っ掛け、該ワイヤＷを、屋根枠体３００の各々間の上記隙間からクレーンに連結することにより、ユニット全体をバランス良く吊り上げることができる（図２７参照）。このとき、下側壁枠体５００の各々を床枠体１００に対してフリーにしておくことにより、下側壁枠体５００の各々は自重により使用位置に向けて自動的に旋回せしめられる。ユニット全体を更に上昇させることにより、下側壁枠体５００の各々は使用位置まで旋回せしめられるので、その時点で使用位置にロックする。次いで下端壁枠体６００の各々を床枠体１００に対してフリーにせしめ、折畳位置から使用位置まで旋回させる。なお、下側壁枠体５００及び下端壁枠体６００を、対応する床枠体１００に対し折畳位置に保持する手段は、例えば適宜の針金を利用することでよい。
【００４９】
下側壁枠体５００及び下端壁枠体６００の全てが使用位置に位置付けられた状態において、基礎枠５１０及び６１０の各々は平面から見て実質的に連続した矩形状をなすよう位置付けられる（図１６参照）。そして、相互に隣接する基礎枠５１０と６１０、及び基礎枠６１０同士を相互に分離自在に固定することにより、平面形状が実質的に矩形をなす基礎枠体が、相互に固定された一対の床枠体１００の下方に間隔をおいて形成される。
【００５０】
下側壁枠体５００及び下端壁枠体６００の全てが使用位置に位置付けられた状態において、床枠体１００の各々の一端部に配設された片方の下端壁枠体６００の他側部を規定する縦枠６０２の他側面同士及び床枠体１００の各々の他端部に配設された他方の下端壁枠体６００の他側部を規定する縦枠６０２の他側面同士はそれぞれ相互に対向せしめられる。片方の下端壁枠体６００の各々の該縦枠６０２間及び他方の下端壁枠体６００の各々の該縦枠６０２間には、片方の下端壁枠体６００の各々の該縦枠６０２同士及び他方の下端壁枠体６００の各々の該縦枠６０２同士をそれぞれ分離自在に連結する複数の連結手段が配設されている。この連結手段は、先に述べた連結手段（図１４及び図１５参照）と実質的に同じであるので、説明は省略する。連結手段の袋ナット部材４は、片方の下端壁枠体６００のうちのいずれか一方における縦枠６０２に配設される。片方の端壁枠体６００のうちの他方には、ボルト６を挿入して締結するための上記貫通孔が形成されることはいうまでもない。実施形態においては、縦枠６０２の各々間には隙間が形成されるので、相互の連結時には補助縦枠２が該隙間に挿入される。この構成も先に述べたとおりである。片方の端壁枠体６００の各々の縦枠６０２が補助縦枠２を挟んで連結手段により分離自在に連結されることにより、使用位置に位置付けられた片方の端壁枠体６００の各々同士は、しっかりと連結される。床枠体１００の各々の他端部に配設された他方の端壁枠体６００の縦枠６０２同士も、同様にして分離自在に連結される。なお、片方の端壁枠体６００の各々の一側部の縦枠６０２と、対応する下側壁枠体５００の一側部の縦枠５０２との間、及び他方の端壁枠体６００の各々の一側部の縦枠６０２と、対応する下側壁枠体５００の他側部の縦枠５０２との間も、それぞれ上記連結手段により、同様にして分離自在に連結される。下側壁枠体５００及び下端壁枠体６００の全てを使用位置に位置付けることにより、相互に固定された一対の床枠体１００の下方には、下側壁枠体５００及び下端壁枠体６００の全てに囲まれた一つの立体空間が形成される。基礎枠体の内側間に複数のフレームを分離自在に配設することにより基礎床枠体８００が形成され、ユニット、すなわち実施形態においては二階建の建築物が基礎床枠体８００を介して載置面上に載置される（図１及び図２参照）。
【００５１】
基礎床枠体８００について更に具体的に説明する。図１６及び図１８を参照して、基礎床枠体８００の一側部（図１６において左側部）の基礎枠５１０の一端部のウェブと両フランジ間には被連結板５２０が溶接により固定されている。基礎床枠体８００の一端部（図１６において下端部）の片方の基礎枠６１０の一端が該基礎枠５１０の一端部に対し直角に近接せしめられ、一対の連結板５２２により、該基礎枠５１０の被連結板５２０と該基礎枠６１０のウェブを両側から挟み、ボルト５２３及びナット５２４により分離自在に締結することにより、該基礎枠６１０の一端部と該基礎枠５１０の一端部が連結される。該基礎枠５１０の他端部と、基礎床枠体８００の他端部（図１６において上端部）の片方の基礎枠６１０の一端部との連結、基礎床枠体８００の他側部（図１６において右側部）の基礎枠５１０の一端部と基礎床枠体８００の一端部の他方の基礎枠６１０の一端部との連結、及び、基礎床枠体８００の他側部の基礎枠５１０の他端部と基礎床枠体８００の他端部の他方の基礎枠６１０の一端部との連結は全て上記のとおりにして行なわれる。図１６に示されているように、基礎枠５１０の各々の長手方向中央間には横枠８０２が配設され、互いに連結されている。横枠８０２はＨ鋼からなる。図２０には、基礎床枠体８００の他側部の基礎枠５１０の長手方向中央部と横枠８０２との連結手段が示されている。該基礎枠５１０の長手方向中央部のウェブと両フランジ間には被連結板５２５が溶接により固定されている。横枠８０２の一端が該基礎枠５１０の長手方向中央部に対し直角に近接せしめられ、一対の連結板５２６により、該基礎枠５１０の被連結板５２５と横枠８０２のウェブを両側から挟み、ボルト５２７及び図示しないナットにより分離自在に締結することにより、横枠８０２の一端部と該基礎枠５１０の長手方向中央部が連結される。横枠８０２の他端部と基礎床枠体８００の一側部の基礎枠５１０の長手方向中央部の連結も上記のとおりにして行なわれる。
【００５２】
基礎床枠体８００の一端部の基礎枠６１０の各々の他端部及び横枠８０２の長手方向中央部間には縦枠８０４が配設され、互いに連結されている。基礎床枠体８００の他端部の基礎枠６１０の各々の他端部及び横枠８０２の長手方向中央部間には縦枠８０６が配設され、互いに連結されている。縦枠８０４及び８０６はＨ鋼からなる。図１９には、基礎床枠体８００の他端部の基礎枠６１０の各々の他端部と縦枠８０６の一端部の連結手段が示されている。該基礎枠６１０の各々の他端部のウェブには、それぞれ、平面から見てチャンネル形の連結板部材６２０が連結板６２２を介してボルト６２３及びナット６２４により締結されている。連結板部材６２０の各々の一部は、近接して配置された縦枠８０６の一端部のウェブを両側から挟むよう位置付けられ、かつボルト６２５及びナット６２６により分離自在に締結されている。基礎床枠体８００の一端部の基礎枠６１０の各々の他端部と縦枠８０４の一端部の連結も上記のとおりにして行なわれる。図２１には、縦枠８０４の他端部及び縦枠８０６の他端部と、横枠８０２の長手方向中央部との連結手段が示されている。横枠８０２の長手方向中央部のウェブの両側及び両フランジ間には、被連結板８０８及び８１０がそれぞれ溶接により固定されている。縦枠８０４の他端が横枠８０２の長手方向中央部に対し直角に近接せしめられ、一対の連結板５３０により、被連結板８０８と縦枠８０４のウェブを両側から挟み、ボルト５３２及び図示しないナットにより分離自在に締結することにより、縦枠８０４の他端部と横枠８０２の長手方向中央部が連結される。また、縦枠８０６の他端が横枠８０２の長手方向中央部に対し直角に近接せしめられ、一対の連結板５３４により、被連結板８１０と縦枠８０６のウェブを両側から挟み、ボルト５３５及び図示しないナットにより分離自在に締結することにより、縦枠８０６の他端部と横枠８０２の長手方向中央部が連結される。
【００５３】
縦枠８０４及び８０６と、各々の両側に間隔をおいて対向する基礎枠５１０との間には、複数の横枠８２０が、それぞれ基礎床枠体８００の長手方向に間隔をおいて配設されている。横枠８２０の各々は横断面がチャンネル形状をなす。図１７には、横枠８２０の一端部と基礎枠５１０との連結手段が示されている。基礎枠５１０のウェブと両フランジ間であって、横枠８２０に対応する位置には、被連結板５４０が溶接により固定され、横枠８２０の各々の一端部は、対応する被連結板５４０にボルト８２２及びナット８２３により分離自在に締結されている。横枠８２０の各々の他端部と縦枠８０４及び８０６との連結も同じとおりにして行なわれる。以上のとおりにして、基礎床枠体８００が組み立てられる。
【００５４】
先に述べたように、屋根枠体３００の各々の他側部における他側面は、一対の床枠体１００の幅方向に間隔をおいて相互に対向せしめられる（図３、図２６及び図２７参照）。相互に対向せしめられた屋根枠体３００の各々間には、補助屋根枠体７００が分離自在に配設されて該間隔は実質的に閉塞される（図１及び図２８参照）。
【００５５】
図６、図７及び図９を参照して、補助屋根枠体７００は、図９に示されている平面において、相互に幅方向（図６において左右方向）に間隔をおいて平行に長手方向（図６において上下方向）に延在する一対の縦枠７０２と、相互に長手方向に間隔をおいて平行に補助屋根枠体７００の幅方向に延在する複数の横枠７０４とを備えている。縦枠７０２及び横枠７０４の各々は、横断面が矩形の中空鋼材からなり、相互に溶接により固定されている。補助屋根枠体７００は、図６及び図７に示す正面から見て、幅方向中央から両側に向かって下方に傾斜している。縦枠７０２及び横枠７０４の各々の上下方向の長さは、屋根枠体３００の他側部の縦枠３０２ｂの長さに等しい。補助屋根枠体７００の上面には、補助屋根板７０６が配設されている。補助屋根枠体７００の長手方向長さは、屋根枠体３００の長手方向長さと同じである。１個又は２個の横枠７０４の中央には、アイボルト７１０を離脱自在に取り付けるための袋ナット４が配設されている。袋ナット部材４の開口端は横枠７０４の上面に位置付けられている。補助屋根枠体７００の両端部の横枠７０４における長手方向両端部には、それぞれ、他の袋ナット４が配設されている。他の袋ナット部材４の開口端は横枠７０４の下面に位置付けられている。補助屋根枠体７００は、離脱自在に取り付けられたアイボルト７１０を利用して、クレーンにより吊り上げられ、屋根枠体３００の各々間に挿入される。補助屋根枠体７００の両側部の縦枠７０２の側方外面は、屋根枠体３００の、対応する縦枠３０２ｂの内側面にほぼ密接して挿入させられる。
【００５６】
補助屋根枠体７００の両端部の内側面、すなわち両端部の横枠７０４の内側面は、それぞれ、床枠体１００の各々の一端部に配設された片方の端壁枠体４００の他端部（上端部）における横枠４０４ａの上面であって片方の端壁枠体４００の他側近傍領域の上面、及び床枠体１００の各々の他端部に配設された他方の端壁枠体４００の他端部（上端部）における横枠４０４ａの上面であって他方の端壁枠体４００の他側近傍領域の上面に載置される。補助屋根枠体７００の一端部の横枠７０４と、片方の端壁枠体４００の各々の横枠４０４ａの該他端部との間及び補助屋根枠体７００の他端部の横枠７０４と、他方の端壁枠体４００の各々の横枠４０４ａの該他端部との間には、それぞれ、補助屋根枠体７００の一端部及び他端部を、対応する端壁枠体４００の各々の該他端部に分離自在に連結する複数の連結手段が配設されている。連結手段の各々は、先に述べた連結手段（図１４及び図１５参照）と実質的に同じであるので、説明は省略する。袋ナット部材４の各々は、対応する横枠７０４に配設され、各々の開口端は下方に向けられる。連結手段の袋ナット部材４に対応して、端壁枠体４００の横枠４０４ａには、ボルト６を挿入して締結するための上記貫通孔が形成されることはいうまでもない。補助屋根枠体７００の一端部の横枠７０４と、片方の端壁枠体４００の各々の横枠４０４ａの該他端部及び補助屋根枠体７００の他端部の横枠７０４と、他方の端壁枠体４００の各々の横枠４０４ａの該他端部とは、上記連結手段により分離自在に連結される。連結手段は袋ナット部材４とボルト６からなるので、雨漏りを防止できる。またボルト６による締結作業は補助屋根枠体７００の内側から行うことができるので作業性が良い。なお、図１及び図８に示すように、屋根枠体３００の縦枠３０２ａの各々の幅方向外側には、それぞれ横断面がチャンネル形の樋３３０が分離自在に装着されることが好ましい。樋３３０は袋ナット部材４とボルト６の組合せで装着される。袋ナット部材４は縦枠３０２ａの各々に配設され、開口端は側外方に向けられる。る。
【００５７】
以上のとおりにして、図１、図２及び図２８に示されるような二階建て建築物が建設される。図１及び図２に示す二階建て建築物において、相互に分離自在に固定された一対の床枠体１００は２階の床枠体を構成し、基礎床枠体８００は一階の床枠体を構成する。図２２及び図２３には、上記のように組み立てられた二階建建築物に壁板、窓などを配設した状態が、部分的に示されている。出入口、階段などは図示を省略してあるが、適宜に設置することは容易である。
【００５８】
本発明による立体構築物の上記実施形態は、二階建ての建築物であるが、半ユニットＨＵにおいて、床枠体１００の下面に配設される構成要素の全てを除去した形態にせしめれば、半ユニットＨＵの各々が一つのユニットにせしめられた状態において、相互に分離自在に固定された一対の床枠体１００が、一階の床枠体を構成することになる。したがって、本発明は一階建ての立体構築物にも適用することができる。
【００５９】
本発明による立体構築物は、わずか一対の半ユニットＨＵから構成され、しかも、一階建ての場合においては、半ユニットＨＵの各々は、床枠体１００、側壁枠体２００、屋根枠体３００及び一対の端壁枠体４００といった、一階建て立体構築物の主な構成要素がユニットとして構成され、床枠体１００同士を相互に分離自在に固定することにより簡単かつ迅速に一つのユニットにせしめることができるので、トータルの建設時間を大幅に短縮でき、実用上有用である。しかも床枠体１００の上面に、側壁枠体２００、屋根枠体３００及び一対の端壁枠体４００を積層状態で折畳可能であるので、構成がコンパクト化され、輸送及び保管の効率が向上せしめられる。更にはまた、床枠体１００の上面に配設された側壁枠体２００、屋根枠体３００及び一対の端壁枠体４００は、旋回操作を含む簡単な作業で使用位置に位置付けることができるので、少ない労力で迅速な建設を可能にする。逆に使用位置から折畳位置への旋回作業も容易かつ迅速に遂行できる。更にはまた、構成要素間の連結手段は、袋ナット部材とボルトとからなり、予め構成要素間の一方に袋ナット部材が固定されているので、ボルト及びナットの連結手段に較べて組立作業性が向上せしめられ、組立作業が一層迅速化されると共に、ボルトの締結作業はナットとの協働作業が不要であるので、ボルト締結のための作業スペースを小さくできるので、壁板などが周辺に存在してもボルトの締結作業に支障はない。また雨水など水の侵入も防止できる。側壁枠体２００、屋根枠体３００及び一対の端壁枠体４００の旋回支持機構及び旋回ロック機構は、構成が簡単で作業性に優れている。特に、旋回ロック機構は重合部を１本のボルトにより解除自在にロックできるので、構成が簡単で、使用位置へのロック操作が容易かつ迅速となる。一対の半ユニットＨＵにおいては、床枠体１００の各々、側壁枠体２００の各々、屋根枠体３００の各々及び端壁枠体４００の各対は、それぞれ共通の部品とすることができるので、コスダウンを更に促進する。
【００６０】
本発明による立体構築物は、二階建ての場合であっても、わずか一対の半ユニットＨＵから構成される。しかも、半ユニットＨＵの各々は、床枠体１００、側壁枠体２００、屋根枠体３００、一対の端壁枠体４００に、下側壁枠体５００及び一対の下端壁枠体６００を加えるだけで、二階建て立体構築物の主な構成要素がユニットとして構成され、床枠体１００同士を相互に分離自在に固定することにより簡単かつ迅速に一つのユニットにせしめることができるので、トータルの建設時間を大幅に短縮でき、実用上有用である。しかも床枠体１００の上面に、側壁枠体２００、屋根枠体３００及び一対の端壁枠体４００が積層状態に折畳可能であることに加えて、床枠体１００の下面に、下側壁枠体５００及び一対の下端壁枠体６００を積層状態に折畳可能であるので、二階建てにもかかわらず、構成がコンパクト化され、輸送及び保管の効率が向上せしめられる。更にはまた、床枠体１００の下面に配設された下側壁枠体５００及び一対の下端壁枠体６００は、旋回操作を含む簡単な作業で使用位置に位置付けることができるので、少ない労力で迅速な建設を可能にする。逆に使用位置から折畳位置への作業も容易かつ迅速に遂行できる。更にはまた、二階建ての立体構築物の建設でありながら、足場を組む必要はない。その他の構成及び効果は、上記一階建ての立体構築物におけると実質的に同じであるので説明は省略する。
【００６１】
本発明の上記実施形態における半ユニットＨＵの各々において、端壁枠体４００の各々の平面形状は矩形の変形をなし、端壁枠体４００の各々が使用位置に位置付けられた状態において、端壁枠体４００の各々の他端部に含まれる他端面は、床枠体１００の一側から他側に向かって床枠体１００の上面に対し上方に傾斜せしめられる。この実施形態に代えて、端壁枠体４００の各々の平面形状を矩形とし、端壁枠体４００の各々が使用位置に位置付けられた状態において、端壁枠体４００の各々の他端部に含まれる他端面が、床枠体１００の一側から他側に向かって床枠体１００の上面と平行に延在せしめられる、他の実施形態もある。この実施形態においては、屋根枠体３００の各々を傾斜させることができないが、雨に対する配慮が不要な場合には、全体の構成が更に簡単となり、更なるコストダウンを図ることが可能になる。
【００６２】
【発明の効果】
本発明による折畳式及び組立式立体構築物によれば、従来のプレハブ式の立体構築物に較べて、更に少ない労力で更に迅速に建設することを可能にする。また従来のプレハブ式の立体構築物に較べて、更に効率的な輸送及び更に効率的な保管の達成を可能にする。更にはまた、従来のプレハブ式の立体構築物に較べて、トータルコストの更なる低減を可能にする。更にはまた、一階建であっても、二階建であっても、上記目的を達成することを可能にする。
【図面の簡単な説明】
【図１】本発明に従って構成された立体構築物の構成を示す正面図概略図であって構成要素の一部が折り畳まれた状態を示す正面図概略図。
【図２】図１に示す立体構築物の構成を示す側面概略図であって構成要素の一部が折り畳まれた状態を示す側面概略図。
【図３】図１に示す立体構築物において、半ユニットの各々が一つのユニットにせしめられた状態で、各構成要素が折り畳まれた状態及び構成要素の一部が使用位置に位置付けられた状態を、構成要素の一部を分解して示す正面図概略図。
【図４】図１に示す立体構築物を構成する一対の半ユニットの各々の折畳状態を示す正面図。
【図５】図１に示す立体構築物の屋根枠体が側壁枠体に支持された状態を示す平面図。
【図６】屋根枠体が側壁枠体及び端壁枠体に支持された状態、及び補助屋根枠体が一対の端壁枠体に支持された状態を示す正面図。
【図７】図６の一部を拡大して示す正面図。
【図８】屋根枠体の一側に樋が装着された状態を示す断面図。
【図９】図７に示す補助屋根枠体の下面図。
【図１０】図１に示す立体構築物に含まれる一対の床枠体の平面図。
【図１１】図１のＡ部を拡大しかつ一部を分解して示す斜視図。
【図１２】図１のＢ部を拡大しかつ一部を分解して示す斜視図。
【図１３】図１のＣ部を拡大しかつ一部を分解して示す斜視図。
【図１４】図１のＤ部拡大断面図。
【図１５】図１４に示す構成要素を図１４において右方から見た側面図。
【図１６】図１に示す基礎床枠体の平面図。
【図１７】図１６に示す基礎床枠体の一部を拡大して示す平面図。
【図１８】図１のＥ部を分解しかつ拡大して示す斜視図。
【図１９】図１６のＦ部拡大図。
【図２０】図１６のＧ部を図１６において左方から見た拡大断面図。
【図２１】図１６のＨ部を図１６において左方から見た拡大断面図。
【図２２】図１に示す立体構築物の完成状態を示す正面図であって、壁板の一部を省略して示す正面図。
【図２３】図１に示す立体構築物の完成状態を示す側面図であって、壁板の一部を省略して示す側面図。
【図２４】本発明に従って構成された立体構築物の半ユニット及び補助屋根枠体の構成を概略的に示す分解斜視図。
【図２５】図２４に示す半ユニットを一つのユニットにせしめかつ側壁枠体及び屋根枠体の各々を使用位置に位置付けた状態を示すと共に一部を透視図として示す斜視概略図。
【図２６】図２５に示す立体構築物において、更に、端壁枠体の全てを使用位置に位置付けた状態を示すと共に一部を透視図として示す斜視概略図。
【図２７】図２６に示す立体構築物を吊り上げ、下側壁枠体の各々を各々の自重により使用位置に向けて旋回させつつある状態を示すと共に一部を透視図として示す斜視概略図。
【図２８】図２７に示す立体構築物において、更に、下側壁枠体の各々を使用位置に位置付けた後に、下端壁枠体の全てを使用位置に位置付け、補助屋根枠体を装着して立体構築物として完成させた状態を示すと共に一部を透視図として示す斜視概略図。
【符号の説明】
４  袋ナット部材
６  ボルト
１００  床枠体
２００  側壁枠体
３００  屋根枠体
４００  端壁枠体
５００  下側壁枠体
６００  下端壁枠体
７００  補助屋根枠体
８００  基礎床枠体
ＨＵ  半ユニット
【図１】
0003761808.tif 000002
【図２】
0003761808.tif 000003
【図３】
0003761808.tif 000004
【図４】
0003761808.tif 000005
【図５】
0003761808.tif 000006
【図６】
0003761808.tif 000007
【図７】
0003761808.tif 000008
【図８】
0003761808.tif 000009
【図９】
0003761808.tif 000010
【図１０】
0003761808.tif 000011
【図１１】
0003761808.tif 000012
【図１２】
0003761808.tif 000013
【図１３】
0003761808.tif 000014
【図１４】
0003761808.tif 000015
【図１５】
0003761808.tif 000016
【図１６】
0003761808.tif 000017
【図１７】
0003761808.tif 000018
【図１８】
0003761808.tif 000019
【図１９】
0003761808.tif 000020
【図２０】
0003761808.tif 000021
【図２１】
0003761808.tif 000022
【図２２】
0003761808.tif 000023
【図２３】
0003761808.tif 000024
【図２４】
0003761808.tif 000025
【図２５】
0003761808.tif 000026
【図２６】
0003761808.tif 000027
【図２７】
0003761808.tif 000028
【図２８】
0003761808.tif 000029